(57)【要約】【課題】直流側のコンデンサへの突入電流を低減することを可能とすると共に、交流入力を短時間でＯＦＦ／ＯＮした場合の突入電流を低減する。【解決手段】入力された交流電圧を整流する整流器ＤＣと平滑用のコンデンサＣ１とを備え、整流器ＤＣとコンデンサＣ１との間に突入電流を抑えるための抵抗Ｒ１とこの抵抗を短絡するリレー接点ＲＬ１との並列回路を接続する。コンデンサＣ１の電圧を検出してリレー接点ＲＬ１のＯＮ／ＯＦＦを制御する短絡制御回路Ｖｄ１は、コンデンサＣ１の飽和電圧の２／３の電圧を閾値電圧とし、コンデンサＣ１の電圧が前記閾値電圧以下になったときリレー接点ＲＬ１をＯＮからＯＦＦに制御する。【選択図】      図１
2006217753.tif 000002
【特許請求の範囲】
【請求項１】
入力された交流電圧を整流する整流器と平滑用のコンデンサとを備える電源装置において、
前記平滑用のコンデンサの充電電流回路に直列に接続され、突入電流を抑えるための突入電流低減用の抵抗とこの抵抗を短絡する短絡スイッチとを並列接続した突入電流低減回路と、前記平滑用のコンデンサの電圧を検出して、前記短絡スイッチのＯＮ／ＯＦＦを制御する短絡制御回路とを備え、前記短絡制御回路は、平滑コンデンサの飽和電圧の２／３の電圧を閾値電圧とし、平滑コンデンサの電圧が前記閾値電圧以下になったとき前記短絡スイッチをＯＮからＯＦＦに制御することを特徴とする電源装置。
【請求項２】
前記短絡制御回路は、平滑コンデンサの電圧が前記閾値電圧以上になったとき、あるいは、平滑コンデンサの電圧が前記閾値電圧以上の予め定めた電圧になったとき前記短絡スイッチをＯＦＦからＯＮに制御することを特徴とする請求項１記載の電源装置。
【請求項３】
前記突入電流低減回路は、前記整流器と平滑コンデンサとの間に接続され、前記短絡スイッチがリレー接点であることを特徴とする請求項１または２記載の電源装置。
【請求項４】
前記突入電流低減回路は、前記整流器の交流入力側に接続され、前記短絡スイッチがトライアックまたはリレー接点であることを特徴とする請求項１または２記載の電源装置。
【請求項５】
入力された交流電圧を整流する整流器と平滑用のコンデンサとを備える電源装置を少なくとも２台備えた電源装置において、
第１の電源装置の出力が所定の値以上になったとき、第２の電源装置の交流入力をＯＮとし、前記第１の電源装置の出力が所定の値以下になったとき、前記第２の電源装置の交流入力をＯＦＦとするように制御され、少なくとも前記第２の電源装置は、請求項１ないし４のうちいずれか１記載の電源装置であることを特徴とする電源装置。
【請求項６】
電源装置を備えて構成される電子機器において、前記電源装置は、請求項１ないし５のうちいずれか１記載の電源装置であることを特徴とする電子機器。
【発明の詳細な説明】
【技術分野】
【０００１】
本発明は、電源装置及び電子機器に係り、特に、交流を直流に変換する電源装置における直流側のコンデンサへの突入電流を低減することを可能とすると共に、交流入力を短時間でＯＦＦ／ＯＮした場合の突入電流を低減することができる電源装置及びこれを使用する電子機器に関する。
【背景技術】
【０００２】
電源装置における突入電流を低減することができる従来技術として、種々の方法が提案されている。特許文献１に記載のものは、入力電圧とコンデンサの充電電圧とが所定の値以上になったときに、コンデンサに接続されている突入電流低減抵抗の短絡手段をＯＮに制御するというものである。また、特許文献２に記載のものは、コンデンサと直列にチョークを挿入することにより、突入電流を低減するというものであり、特許文献３に記載のものは、電源切断時に短絡するスイッチと発熱素子とを直列にして出力に接続し、発熱素子が発熱することにより突入電流低減抵抗を短絡するスイッチをオフに制御するというものである。
【０００３】
また、特許文献４に記載のものは、コンデンサの端子電圧と入力電圧とを監視して、突入電流低減抵抗を短絡するというものであり、特許文献５に記載のものは、突入電流低減抵抗と直列にＦＥＴを接続し、短時間での電源再投入時の保護を行うというものである。また、特許文献６に記載のものは、突入電流低減抵抗として感熱抵抗と電力用抵抗とを直列に設け、電源を短時間で再起動したときの突入電流を抑制するというものである。
【０００４】
さらに、特許文献７に記載のものは、直流出力の負荷側に流れる突入電流を電流制限手段とそのバイパス手段とにより低減するというものであり、特許文献８に記載のものは、突入電流低減抵抗を外部信号で短絡するというものであり、特許文献９に記載のものは、２次側の負荷に電圧を供給したことを検知して、１次側の突入電流低減抵抗の短絡を開放するというものである。
【特許文献１】特開平５−３０７４６号公報
【特許文献２】特開平５−２３６７６２号公報
【特許文献３】実開平６−５３９１号公報
【特許文献４】特開平７−９９７７５号公報
【特許文献５】特開平８−１４０２６０号公報
【特許文献６】特開平８−１８２１８７号公報
【特許文献７】特開平９−２１２０４２号公報
【特許文献８】特許第２９１９３６３号公報
【特許文献９】特開平１１−２４３６８６号公報
【発明の開示】
【発明が解決しようとする課題】
【０００５】
前述した従来技術は、いずれのものも、突入電流低減用の抵抗を短絡するリレー接点等のＯＦＦについて考慮されていないため、電源装置の入力スイッチをＯＦＦとした後、数秒後に再度入力スイッチをＯＮした場合、リレー接点等がＯＮのままのため、平滑用のコンデンサに突入電流が流れてしまうという問題点を有している。この結果、従来技術による電源装置は、リレー接点を溶着させてしまう場合があり、また、商用交流電源の電圧変動を生じさせて他の電子機器へ悪影響を与えてしまうという問題点を生じさせる。
【０００６】
本発明の目的は、前述した従来技術の問題点を解決し、電源スイッチの頻繁なＯＮ／ＯＦＦが行われた場合にも、確実に平滑用のコンデンサへの突入電源の低減を行うことができ、商用交流電源の電圧変動を生じさせて他の電子機器へ悪影響を与えることのない電源装置及びこれを使用した電子機器を提供することにある。
【課題を解決するための手段】
【０００７】
前記目的を達成するため、本発明の第１の手段は、入力された交流電圧を整流する整流器と平滑用のコンデンサとを備える電源装置において、前記平滑用のコンデンサの充電電流回路に直列に接続され、突入電流を抑えるための突入電流低減用の抵抗とこの抵抗を短絡する短絡スイッチとを並列接続した突入電流低減回路と、前記平滑用のコンデンサの電圧を検出して、前記短絡スイッチのＯＮ／ＯＦＦを制御する短絡制御回路とを備え、前記短絡制御回路は、平滑コンデンサの飽和電圧の２／３の電圧を閾値電圧とし、平滑コンデンサの電圧が前記閾値電圧以下になったとき前記短絡スイッチをＯＮからＯＦＦに制御することを特徴とする。
【０００８】
本発明の第２の手段は、第１の手段において、前記短絡制御回路が、平滑コンデンサの電圧が前記閾値電圧以上になったとき、あるいは、平滑コンデンサの電圧が前記閾値電圧以上の予め定めた電圧になったとき前記短絡スイッチをＯＦＦからＯＮに制御することを特徴とする。
【０００９】
本発明の第３の手段は、第１または第２の手段において、前記突入電流低減回路が、前記整流器と平滑コンデンサとの間に接続され、前記短絡スイッチがリレー接点であることを特徴とする。
【００１０】
本発明の第４の手段は、第１または第２の手段において、前記突入電流低減回路が、前記整流器の交流入力側に接続され、前記短絡スイッチがトライアックまたはリレー接点であることを特徴とする。
【００１１】
本発明の第５の手段は、入力された交流電圧を整流する整流器と平滑用のコンデンサとを備える電源装置を少なくとも２台備えた電源装置において、第１の電源装置の出力が所定の値以上になったとき、第２の電源装置の交流入力をＯＮとし、前記第１の電源装置の出力が所定の値以下になったとき、前記第２の電源装置の交流入力をＯＦＦとするように制御され、少なくとも前記第２の電源装置が、第１の手段ないし第４の手段のうちいずれか１の電源装置であることを特徴とする。
【００１２】
本発明の第６の手段は、電源装置を備えて構成される電子機器において、前記電源装置が、第１の手段ないし第５の手段のうちいずれか１の電源装置であることを特徴とする。
【発明の効果】
【００１３】
本発明によれば、電源装置における直流側のコンデンサへの突入電流を低減することが可能となり、交流入力を短時間でＯＦＦ／ＯＮした場合の突入電流を低減することができる。
【００１４】
すなわち、本発明の第１の手段によれば、突入電流を生じる平滑コンデンサの充電状態を監視して、突入電流が所定の値になる電圧で、突入電流低減抵抗の短絡を制御することができるので、交流入力がどのようなタイミングでＯＮ／ＯＦＦ／ＯＮされても、確実にコンデンサへの突入電流を低減することができる。
【００１５】
本発明の第２の手段によれば、第１の手段において、短絡スイッチをＯＮとする電圧とＯＦＦとする電圧と同じまたはそれ以上とするので、突入電流の低減を確実に行うことができる電源装置を、簡素な回路で、小型、低コストで実現することができる。
【００１６】
本発明の第３の手段によれば、整流後の直流回路に突入電流低減抵抗を入れても、それを短絡するスイッチとして、リレーを用いるので、任意のタイミングでＯＮ／ＯＦＦ制御を行うことができる。
【００１７】
本発明の第４の手段によれば、整流前の交流回路に突入電流低減抵抗をいれて、それを短絡するスイッチとしてトライアックを用いているので、交流のゼロクロス点毎にＯＮ／ＯＦＦ制御を行うことができ、また、短絡スイッチをリレーとすることにより、さらに任意のタイミングでＯＮ／ＯＦＦ制御することができる。
【００１８】
本発明の第５の手段によれば、複数の電源を備える電源装置においても、入力スイッチがどのようにＯＮ／ＯＦＦ／ＯＮされても、確実に突入電流を低減することができる。
【００１９】
本発明の第６の手段によれば、電子機器の入力スイッチがどのようにＯＮ／ＯＦＦ／ＯＮされても、商用交流電源側に電圧変動等の影響を与えることのない電子機器を提供することができる。
【発明を実施するための最良の形態】
【００２０】
以下、本発明による電源装置の実施形態を図面により詳細に説明する。ここで説明する本発明の実施形態は、電子装置内に備えられて使用されるスイッチング電源装置を例としたものである。
【００２１】
図１は本発明の第１の実施形態による電源装置の構成を示すブロック図である。図１において、ＡＣは交流電源、ＦＵ１はヒューズ、ＳＷ１は入力スイッチ、ＮＦ１、ＮＦ２はノイズフィルター、ＤＢはダイオードブリッジ、Ｒ１、Ｒ２は抵抗、ＲＬ１はリレー接点、Ｃ１はコンデンサ、Ｖｄ１は直流電圧検出回路、ＣＯＮＴはスイッチング制御回路、Ｑ１はトランジスタ、Ｔ１はトランス、ＯＵＴは出力回路である。
【００２２】
本発明の第１の実施形態による電源装置は、交流電源ＡＣ側に、ヒューズＦＵ１、入力スイッチＳＷ１、１段目のノイズフィルターＮＦ１、入力スイッチＳＷ１、２段目のノイズフィルターＮＦ２、ダイオードブリッジＤＢによる整流器が設けられ、ダイオードブリッジＤＢにより整流された直流側に、平滑コンデンサＣ１、平滑コンデンサＣ１への突入電流を制限する抵抗Ｒ１及び抵抗Ｒ１を短絡する短絡スイッチとしてのリレー接点ＲＬ１の並列回路により構成される突入電流低減回路、リレー接点ＲＬ１のオン、オフを制御する短絡制御回路としての直流電圧検出回路Ｖｄ１、直流電圧を再度交流に変換する制御を行うスイッチング制御回路ＣＯＮＴ、スイッチング制御回路ＣＯＮＴにより制御されるトランジスタＱ１、出力の過負荷、その他の不具合を検出する抵抗Ｒ２、再度変換された交流の電圧変換を行うトランスＴ１、電子機器に直流電圧を供給する出力回路ＯＵＴが設けられて構成されている。
【００２３】
前述のように構成される電源装置において、商用の交流電源ＡＣは、ヒューズＦＵ１、１段目のノイズフィルターＮＦ１を経て入力スイッチＳＷ１に接続され、さらに、２段目のノイズフィルターＮＦ２を経てダイオードブリッジＤＢに接続される。前述において、入力スイッチＳＷ１は、電源装置のＯＮ／ＯＦＦを手動で切り替えるためのものでり、説明している電源装置が電子機器に組み込まれている場合、電子機器そのもののスイッチとなる。入力スイッチＳＷ１は、入力スイッチＳＷ１そのものを手動で切り替えず、他のスイッチに連動して、この入力スイッチＳＷ１をＯＮ／ＯＦＦさせるものであってもよい。
【００２４】
ダイオードブリッジＤＢに入力された交流電源ＡＣは、整流器であるダイオードブリッジＤＢにより整流されて、抵抗Ｒ１とリレー接点ＲＬ１との並列回路を介してコンデンサＣ１に入力され平滑されて直流に生成される。抵抗Ｒ１は、コンデンサＣ１への突入電流を低減するためのもので、コンデンサＣ１に蓄積される直流電圧の大きさを検出して抵抗Ｒ１の短絡を説明する短絡制御回路としての直流電圧検出回路Ｖｄ１により制御されて、ＯＮ／ＯＦＦ制御されるリレー接点ＲＬ１により通常の動作時に短絡されるが、その制御動作の詳細については後述する。
【００２５】
コンデンサＣ１に充電、蓄積された直流電圧は、スイッチング制御用回路ＣＯＮＴに印加されて、スイッチング制御用回路ＣＯＮＴが起動し、スイッチング制御用回路ＣＯＮＴは、トランスＴ１の１次巻線に直列に接続されたトランジスタＱ１のスイッチングを行い、トランスＴ１の１次巻線に交流電圧を印加する。トランスＴ１の２次側の出力は、出力回路ＯＵＴで整流平滑して所定の直流出力Ｖ１とされて図示しない電子機器に対する直流電源として供給される。出力回路ＯＵＴには、出力電圧の検出回路が設けられており、この検出電圧が、前記スイッチング制御回路ＣＯＮＴに帰還されて直流出力Ｖ１の電圧を安定化制御する。トランジスタＱ１に直列に接続された抵抗Ｒ２は、この抵抗Ｒ２に流れる電流が電圧としてスイッチング制御回路ＣＯＮＴに帰還され、出力の過負荷、あるいは、その他の不具合に対しての保護動作を行わせる。
【００２６】
前述までに説明した電源回路の動作は、従来技術の場合と同様であるが、次に、本発明の特徴的な構成であるコンデンサＣ１への突入電流を低減するための動作について説明する。
【００２７】
コンデンサＣ１の充電電圧は、最終的には交流電源ＡＣの電圧のピーク電圧、日本国内の場合、商用電源が１００Ｖであるので、１００Ｖ×√２＝１４１Ｖまで充電される。この電圧がコンデンサの飽和電圧となる。一般に、コンデンサＣ１の内部インピーダンスは非常に小さいので、入力スイッチＳＷ１のＯＮ後の初期に大電流が流れ、コンデンサＣ１の充電と共に電流値は小さくなる。
【００２８】
図２は図１に示す電源装置のコンデンサＣ１の充電電圧と充電電流との関係を入力される交流を１００Ｖとして実測した結果を示す図であり、図２（ａ）がコンデンサＣ１の充電電圧Ｖｃ１（Ｖ）と、コンデンサＣ１に充電電圧Ｖｃ１が蓄積されている状態でダイオードブリッジＤＢからコンデンサＣ１に流れる充電電流Ｉ（Ａ）との実測値であり、図２（ｂ）が図２（ａ）に示す実測値をグラフとして示したものである。
【００２９】
一般に、入力スイッチＳＷ１がＯＮした瞬間は、コンデンサＣ１の電圧がほぼ０であるため、図２からも判るように、コンデンサＣ１を充電する大きな突入電流が発生する。この突入電流を低減するため、コンデンサＣ１に抵抗Ｒ１を直列に接続している。前述りような初期の突入電流は、商用電源ラインに過電流を流してその電圧を降下させ、同一の商用電源ラインに接続されてい他の電子機器に不具合を生じさせるという可能性もある。コンデンサＣ１に抵抗Ｒ１を直列に接続することにより、前述したような不具合を防止することができるが、抵抗Ｒ１に電流が流れることにより、そこで損失が発生する。このため、コンデンサＣ１が充分な電圧まで充電されたときに、抵抗Ｒ１を短絡する。この短絡は、リレー接点ＲＬ１、あるいは、半導体スイッチを用いて行われる。
【００３０】
図１に示す本発明の第１の実施形態による電源回路は、抵抗Ｒ１を短絡するためにリレー接点ＲＬ１を用いている。このリレー接点ＲＬ１をＯＮとして抵抗Ｒ１を短絡するタイミングは、一般に、トランスＴ１に別巻き線を設けその電圧を用い、あるいは、トランスＴ１の出力電圧を用いること等により、入力スイッチＳＷ１がＯＮされた後、充分な時間を経てリレー接点ＲＬ１をＯＮとするように行われる。
【００３１】
電子装置のＯＮ／ＯＦＦは、従来、頻繁に行われる必要がなかったが、近年の省エネ志向から、こまめに電子装置の電源装置のＯＮ／ＯＦＦをするようになってきたため、思わずＯＦＦしてしまい、慌てて再度ＯＮするという状況が、まれではあるが起きている。
【００３２】
従来技術の場合、抵抗Ｒ１を短絡するリレー接点ＲＬ１のＯＦＦについて考慮されていないため、電子装置がＯＦＦされた後、すなわち、電源装置の入力スイッチＳＷ１がＯＦＦされた後、リレー接点ＲＬ１がＯＦＦするまでに５秒以上を要するという例が見られ、電源装置をＯＮからＯＦＦし、数秒後に再度入力スイッチＳＷ１をＯＮした場合、リレー接点ＲＬ１がＯＮのままのため、コンデンサＣ１に突入電流が流れることになる。
【００３３】
図３は図１に示す電源装置の入力スイッチＳＷ１をＯＦＦしてからのコンデンサＣ１の電圧の実測結果を示す図であり、図３（ａ）が入力スイッチＳＷ１をＯＦＦしてからの時間（秒）に対するコンデンサＣ１の電圧Ｖｃ（Ｖ）の実測値であり、図３（ｂ）が図３（ａ）に示す実測値をグラフとして示したものである。
【００３４】
図３から判るように、電源装置の入力スイッチＳＷ１をＯＦＦしてから約４．５秒でコンデンサＣ１は完全に放電している。いま、仮に、入力スイッチＳＷ１をＯＮからＯＦＦして、３秒後に再度ＯＮにしたとすると、その時点でのコンデンサＣ１の電圧は、図３から、約７０Ｖである。そして、この場合のコンデンサＣ１への突入電流は、図２より約８０Ａであることが判る。
【００３５】
抵抗Ｒ１として、突入電流対応規格ＴＶ５品を用いた場合、抵抗Ｒ１の耐電流として７８Ａまで保証されている。この耐電流に対して余裕（×０．８）を見て、約６０Ａ以下を狙いとすると、図２から、コンデンサＣ１の電圧が約９０Ｖとなる。この電圧は、飽和時の電圧１４１Ｖの約２／３である。すなわち、飽和時の電圧の２／３以上で、入力スイッチＳＷ１がＯＮされた場合には、コンデンサＣ１への突入電流を６０Ａ以下に抑えることができる。
【００３６】
図１に示す本発明の第１の実施形態による電源装置における抵抗Ｒ１の短絡制御は、直流電圧検出回路Ｖｄ１により行われる。すなわち、直流電圧検出回路Ｖｄ１は、コンデンサＣ１の電圧を検出して、予め設定される閾値電圧Ｖｔｈを９０Ｖとし、検出された電圧がＶｔｈすなわち９０Ｖ以下になったとき、リレー接点ＲＬ１をＯＦＦに制御する。コンデンサＣ１の電圧９０Ｖは、交流実効値電圧６３Ｖであり、商用電源の電圧降下の保証値に対して充分余裕のある値である。コンデンサＣ１の電圧検出は、コンデンサＣ１の両端の電圧を抵抗で分圧し、それと基準電圧とを比較器により比較することで容易に行うことができるので、直流電圧検出回路Ｖｄ１の構成の詳細についての説明は省略する。
【００３７】
図４は本発明の第２の実施形態による電源装置の構成を示すブロック図である。図４において、ＴＲＣ１はトライアック、Ｖｄ２は直流電圧検出回路であり、他の符号は図１の場合の同一である。
【００３８】
図４に示す本発明の第２の実施形態は、図１に示して説明した本発明の第１の実施形態に対して、コンデンサＣ１への突入電流低減用の抵抗Ｒ１をダイオードブリッジＤＢの前の交流電源側に設け、リレー接点ＲＬ１の代わりにトライアックＴＲＣ１で用いて構成した点で第１の実施形態と相違し、その他は、同一に構成されている。
【００３９】
図４に示す本発明の第２の実施形態による電源装置は、抵抗Ｒ１には交流が流れるので、この抵抗Ｒ１の短絡用の素子として、交流用大電流スイッチ素子で比較的安価なトライアックＴＲＣ１を用いて構成した。トライアックＴＲＣ１は、交流電圧が０Ｖになるところで消弧するので、５０Ｈｚの商用電源を利用する場合、１０ｍｓ間隔でＯＮ／ＯＦＦを制御することができる。入力スイッチＳＷ１の操作で問題になるのは、人間の手の動作であり、１０ｍｓ間隔であれば、充分な制御を行うことができる。もちろん、図４に示す構成においても、ＴＲＣ１をリレー接点とすることができる、この場合、リレー接点としては、交流対応のものを選定する。
【００４０】
図５は図１、図４に示す本発明の第１、第２の実施形態による電源装置における各部の波形を示す図である。図５において、ＳＷ１は手動でＯＮ／ＯＦＦされるスイッチのＯＮあるいはＯＦＦの状態、ＡＣはＳＷ１のＯＮ後の交流電圧波形、Ｖｃ１はコンデンサＣ１の電圧波形、Ｖｔｈは抵抗Ｒ１を短絡する回路であるリレー接点ＲＬ１あるいはトライアックＴＲＣ１の動作電圧である閾値電圧、ＲＬ１／ＴＲＣ１はリレーＲＬ１またはトライアックＴＲＣ１のＯＮあるいはＯＦＦを示す。
【００４１】
リレー接点ＲＬ１あるいはトライアックＴＲＣ１をＯＮとするタイミングは、機能的には前述で説明したＯＦＦとする場合と同じ条件でよい。すなわち、コンデンサＣ１の電圧がＶｔｈを越えたときＯＮとし、コンデンサＣ１の電圧がＶｔｈより下がったときＯＦＦとすればよい。この場合、コンデンサＣ１の電圧を検出する直流電圧検出回路Ｖｄ１の比較回路が共通になるので、構成が簡素で小型、安価となる。また、コンデンサＣ１の充電時間は長くても数秒であり、飽和充電するまでの間での抵抗Ｒ１での損失は無視することができる程度である。そこで、抵抗Ｒ１のＯＮは、交流電源ＡＣが１００Ｖである場合、コンデンサＣ１の電圧が９０Ｖ以上であればよく、１４１Ｖとすることもできる。商用の交流電源ＡＣが１２０Ｖ、２００Ｖ系の場合、前述で説明したように、飽和電圧の２／３を閾値電圧としての切り替え電圧とすることにより同様の効果を得ることができる。
【００４２】
大電流を比較的安価にスイッチングすることができる半導体素子として、直流用ではサイリスタが使われているが、サイリスタは、一度点弧すると、入力がＯＦＦするまでＯＮを維持したままとなり、ＯＦＦを任意に制御することが困難であるので、図１に示した本発明の第１の実施形態では、抵抗Ｒ１をＯＮ／ＯＦＦ制御する素子にリレー接点を用いることとした。
【００４３】
図６は本発明の第３の実施形態による電源装置の構成を示すブロック図である。図６に示す電源装置は、１つの電源装置内に２台の電源装置を備えた場合の例である。図６において、ＰＳＵ１、ＰＳＵ２は第１、第２の電源装置、Ｖｄ３は出力制御回路、ＲＬ２はリレー接点であり、他の符号は各符号に付す数字を異ならせているが図１、図４の場合と同一である。この本発明の第３の実施形態は、省エネ効果を最大限に得るために、省エネ時に必要な電圧を供給する電源装置と動作時に必要となる電圧を供給する電源装置とを独立とした電源装置、あるいは、電子装置内のレイアウトの最適化から電源を分割した電源装置として使用することができる。
【００４４】
図６に示す電源装置において、第１の電源装置ＰＳＵ１は、図１に示して説明した本発明の第１の実施形態による電源装置のトランスＴ１出力段に、出力制御回路Ｖｄ３を付加して構成したものであり、その他の構成、機能は図１に示すものと全く同一である。第１の電源装置ＰＳＵ１に設けた出力制御回路Ｖｄ３は、出力電圧Ｖ１が所定の電圧になったとき、第２の電源装置ＰＳＵ２のリレー接点ＲＬ２をＯＮあるいはＯＦＦに制御する回路である。
【００４５】
また、第２の電源装置ＰＳＵ２は、図４に示して説明した本発明の第２の実施形態による電源装置の入力を、第１の電源装置ＰＳＵ１の入力スイッチＳＷ１の出力に接続し、一段目のノイズフィルターＮＦ１を削除し、スイッチＳＷ１の代わりにリレー接点ＲＬ２を使用したものであり、その他の構成、機能は図４に示すものと全く同一である。
【００４６】
図７は図６に示す本発明の第３の実施形態による電源装置における各部の波形を示す図である。図７において、ＳＷ１は電子装置のＯＮ／ＯＦＦ用スイッチのＯＮあるいはＯＦＦの状態（図１、図４のＳＷ１の場合と同一）、ＡＣはＳＷ１のＯＮ後の交流電圧波形、Ｖ１は第１の電源装置ＰＳＵ１の出力電圧波形、ＲＬ２は第２の電圧装置ＰＳＵ２の入力側に接続されたリレー接点のＯＮ／ＯＦＦの状態、Ｖｃ２は第２の電源装置ＰＳＵ２のコンデンサＣ２の電圧波形、ＴＲＣ１は第２の電源装置ＰＳＵ２のトライアックのＯＮ／ＯＦＦ状態をそれぞれ示している。
【００４７】
図７に示すように、第１の電源装置ＰＳＵ１の出力電圧波形Ｖ１は、交流電源が入力されると立ち上り、交流電源が断とされると立ち下がる。そして、第２の電圧装置ＰＳＵ２の入力側に接続されたリレー接点ＲＬ２は、出力電圧波形Ｖ１が立ち上がるとＯＮに制御され、出力電圧波形Ｖ１が立ち下がるとＯＦＦに制御される。また、第２の電源装置ＰＳＵ２のトライアックＴＲＣ１は、第２の電源装置ＰＳＵ２のコンデンサＣ２の電圧波形Ｖｃ２が所定の電圧ＶｔｈとなったときＯＮ／ＯＦＦ制御される。これらのＶｃ２、ＴＲＣ１は、図５に示したＶｃ１、ＲＬ１／ＴＲＣ１と同一である。
【００４８】
図７に示す各部の波形のタイミングから判るように、２個の電源装置により構成された電源装置は、交流電圧が断続されるタイミングが複雑となり、従来技術の場合のように、出力電圧によって制御したり、トランスに巻き線を追加して制御すると、平滑用のコンデンサへの突入電流低減用抵抗を短絡する手段の開放を適切に制御できないという問題があったが、図６に示す本発明の第３の実施形態は、突入電流の原因となるコンデンサの電圧を検出して、最も適切な電圧でその短絡手段を開放することができるので、前述のように複数の電源装置により構成された電源装置においても、突入電流を適切に低減することができる。
【００４９】
前述で説明した本発明の各実施形態による電源装置は、家電機器、ＰＣ等に代表される情報処理装置、複写機、プリンタ等の各種の電子機器に組み込まれて使用することができる。
【図面の簡単な説明】
【００５０】
【図１】本発明の第１の実施形態による電源装置の構成を示すブロック図である。
【図２】図１に示す電源装置のコンデンサＣ１の充電電圧と充電電流との関係を入力される交流を１００Ｖとして実測した結果を示す図である。
【図３】図１に示す電源装置の入力スイッチＳＷ１をＯＦＦしてからのコンデンサＣ１の電圧の実測結果を示す図である。
【図４】本発明の第２の実施形態による電源装置の構成を示すブロック図である。
【図５】図１、図４に示す本発明の第１、第２の実施形態による電源装置における各部の波形を示す図である。
【図６】本発明の第３の実施形態による電源装置の構成を示すブロック図である。
【図７】図６に示す本発明の第３の実施形態による電源装置における各部の波形を示す図である。
【符号の説明】
【００５１】
ＡＣ  交流電源
ＦＵ１、ＦＵ２  ヒューズ
ＳＷ１  入力スイッチ
ＮＦ１、ＮＦ２  ノイズフィルター
ＤＢ、ＤＢ１、ＤＢ２  ダイオードブリッジ
Ｒ１、Ｒ２、Ｒ３、Ｒ４  抵抗
ＲＬ１、ＲＬ２  リレー接点
Ｃ１、Ｃ２  コンデンサ
Ｖｄ１、Ｖｄ２  直流電圧検出回路
ＣＯＮＴ、ＣＯＮＴ１、ＣＯＮＴ２  スイッチング制御回路
Ｑ１、Ｑ２  トランジスタ
Ｔ１、Ｔ２  トランス
ＯＵＴ、ＯＵＴ１、ＯＵＴ２  出力回路
ＴＲＣ１  トライアック
ＰＳＵ１、ＰＳＵ２  第１、第２の電源装置
Ｖｄ３  出力制御回路
【図１】
2006217753.tif 000003
【図２】
2006217753.tif 000004
【図３】
2006217753.tif 000005
【図４】
2006217753.tif 000006
【図５】
2006217753.tif 000007
【図６】
2006217753.tif 000008
【図７】
2006217753.tif 000009